(57)【特許請求の範囲】
【請求項１】
情報を変更自在に表示するとともに接触に応じて接触位置情報を出力する電子タッチパネルへの表示内容をレイアウトする電子タッチパネル表示内容レイアウト装置において、
所定のマスターファイルに格納された、前記電子タッチパネルに表示すべき名称群を、読みの順に並べ換える並べ換え手段と、
読みの各区切り毎に挿入される各余白量を格納するテーブルとを備え、
前記並べ換え手段が、前記名称群を読みの順に並べ換えるにあたり、読みの各区切り毎に前記テーブルに格納された各余白量分の余白を挿入するものであることを特徴とする電子タッチパネル表示内容レイアウト装置。
【請求項２】
情報を変更自在に表示するとともに接触に応じて接触位置情報を出力する電子タッチパネルへの表示内容をレイアウトする電子タッチパネル表示内容レイアウト装置において、
所定のマスターファイルに格納された、前記電子タッチパネルに表示すべき名称群を、読みの順に並べ換える並べ換え手段と、
読みの各区切り毎に、次の区切りの先頭の名称の、前記電子タッチパネルへの表示開始位置を指示入力する指示入力手段とを備え、
前記並べ換え手段が、読みの各区切り毎に名称のレイアウトを中断し、前記指示入力手段からの次の区切りの先頭の名称の表示開始位置の指示入力を待って、指示入力された表示開始位置の直前の表示位置まで余白を挿入して該表示開始位置から名称のレイアウトを再開するものであることを特徴とする電子タッチパネル表示内容レイアウト装置。
【請求項３】
前記テーブルに格納された前記各余白量は、前記読みの各区切りごとの余白率であることを特徴とする請求項１記載の電子タッチパネル表示内容レイアウト装置。
【発明の詳細な説明】
【０００１】
【発明の属する技術分野】
本発明は、情報を変更自在に表示するとともに例えば指などによる接触があった場合にその接触位置情報を出力する電子タッチパネルへの表示内容をレイアウトする電子タッチパネル表示内容レイアウト装置に関する。
【０００２】
【従来の技術】
例えば医療事務上の伝票を処理する装置への入力装置として、診療行為名（初診、再診、処置、手術、検査等）や薬品名（アスピリン、ブトウ糖注射液等）等を登録した電子タッチパネルが用いられることがある。電子タッチパネルを用いると、例えばキーボードからその名称等を１つずつ入力する方法と比べ、その電子タッチパネルに指などで接触するだけで特定の薬品名等を入力することができ、作業効率の向上に役立つ。
【０００３】
【発明が解決しようとする課題】
例えば上記のような目的で電子タッチパネルを使用するにあたっては、先ず、その電子タッチパネルに診療行為名や薬品名等を登録する必要あるが、これらの種別は例えば３０００〜５０００程度に及ぶ場合もあり、従来は、これを、電子タッチパネル上の表示位置を１つずつ指定し、その指定した表示位置に１つの診療行為名ないし薬品名等を登録するという作業が行なわれており、その登録に多大な時間と労力を必要としていた。
【０００４】
本発明は、上記事情に鑑み、電子タッチパネルへの名称の登録の容易化が図られた電子タッチパネル表示内容レイアウト装置を提供することを目的とする。
【０００５】
【課題を解決するための手段】
上記目的を達成する本発明の電子タッチパネル表示内容レイアウト装置は、情報を変更自在に表示するとともに接触に応じて接触位置情報を出力する電子タッチパネルへの表示内容をレイアウトする電子タッチパネル表示内容レイアウト装置において、所定のマスターファイルに格納された、電子タッチパネルに表示すべき名称群を、読みの順に並べ換える並べ換え手段を備えたことを特徴とする。
【０００６】
本発明の電子タッチパネル表示内容レイアウト装置は、電子タッチパネルへの表示内容を自動的にレイアウトするにあたり、名称群を読みの順例えば５０温順に並べ換えるものであり、電子タッチパネルへの名称群の登録が極めて容易化されその登録作業を極めて短時間に行なうことができる。
ここで、上記本発明の電子タッチパネル表示内容レイアウト装置において、読みの各区切り毎に挿入される各余白量を格納するテーブルを備え、上記並べ換え手段が、上記名称群を読みの順に並べ換えるにあたり、読みの各区切り毎に前記テーブルに格納された各余白量分の余白を挿入するものであることが好ましい。
【０００７】
あるいは、上記本発明の電子タッチパネル表示内容レイアウト装置において、読みの各区切り毎に、次の区切りの先頭の名称の、電子タッチパネルへの表示開始位置を指示入力する指示入力手段を備え、上記並べ換え手段が、読みの各区切り毎に名称のレイアウトを中断し、前記指示入力手段からの次の区切りの先頭の名称の表示開始位置の指示入力を待って、指示入力された表示開始位置の直前の表示位置まで余白を挿入してその表示開始位置から名称のレイアウトを再開するものであってもよい。
【０００８】
電子タッチパネルへの登録が一旦終了しその電子タッチパネルを使用して名称の入力等の作業が開始された後は、その作業者に、どの名称が電子タッチパネルのどこに登録されているかというある程度の記憶が生まれるため、一旦登録された名称のレイアウト変更は好ましくない。したがてその電子タッチパネルに登録すべき名称が追加されたときは、電子タッチパネル上の、未だ登録されていない余白に登録することになる。
【０００９】
そこで、余白量のテーブルを備えておいて自動的に余白を挿入し、あるいは、読みの区切り毎に余白の挿入の指示を受け付けて余白を挿入することにより、電子タッチパネルに登録すべき名称が追加されたときに、その読みの順番どおりではなくても、その近くにレイアウトすることができる。
【００１０】
【発明の実施の形態】
以下、本発明の実施形態について説明する。
図１は、本発明の電子タッチパネル表示内容レイアウト装置の一実施形態が内包された、医療事務システムの一例を示す模式図である。
ここには、医療事務を行なうためのプログラムが内蔵されたコンピュータ１０、そのコンピュータ１０に診療行為名や薬品名等を入力する入力装置としての電子タッチパネル２０、および、コンピュータ１０で作表されたレセプト（診療報酬請求書）、請求領収書等のプリントアウトを担うプリンタ３０が備えられている。
【００１１】
電子タッチパネル２０には、そのパネル面（上面）の周縁部に固定的に備えられたボタン類２１と中央部に各種の情報を変更自在に表示する液晶表示部２２を備えている。その液晶表示部２２には、診察行為や薬品等を特定する名称が升目状に配置される。詳細は後述する。またそのパネル面には、固定的なボタン類２１と液晶表示部２２との双方に広がる、指でタッチしたときにそのタッチ位置をコンピュータ１０に伝えるタッチセンサ（図示せず）が備えられており、例えば液晶表示部２２のある位置にある薬品名が表示されているときにその位置に指でタッチすると、コンピュータ１０にはその薬品名が入力される。
【００１２】
ここでは、図１に示すシステムをある医療機関に設置し、医療事務帳簿作成用に使用し始めるにあたって行われる、電子タッチパネル２０への、その医療機関向けに抽出された３０００〜５０００からなる診療行為名や薬品名等の登録について説明する。
ここでは、電子タッチパネル２０に登録すべき内容の一覧が記録されたマスターファイルが存在するものとする。もしマスターファイルが存在しないときは、さらにオリジナルの、あらゆる診療行為名や薬品名が記録されたファイルからその医療機関で実施される可能性のある診療行為名や使用される可能性のある薬品名を抽出して、その医療機関向けのマスターファイルが作成される。
【００１３】
このようなマスターファイルは、コンピュータ１０内に記憶される。ここでは、このマスターファイルに格納された診療行為名および薬品名が、コンピュータ１０内のプログラムにより５０音順に配列され、電子タッチパネル２０への表示名称が表示順に登録されたキーファイルが作成される。電子タッチパネル２０の液晶表示部２２には、このキーファイルに登録された名称にその登録順に表示される。
【００１４】
図２は、電子タッチパネル上の診療行為名や薬品名のレイアウト例を示す図である。
図２（Ａ）は、５０音順に縦に表示された例、図２（Ｂ）は、５０音順に横に表示された例である。ここではレイアウトの方向（縦方向ないし横方向）が外部テーブルに設定され、レイアウトを実行してキーファイルを作成するにあたっては、その外部テーブルに設定されたレイアウトの方向に従ってレイアウトが実行される。
【００１５】
図３は、ページの割り当てを示す図である。
電子タッチパネル２０に、３０００〜５０００もの名称を一度に表示する訳にはいかず、複数頁（ここでは６４頁）に分かれて表示される。電子タッチパネルへのレイアウトが終了した後の実際の入力作業時において、表示内容の改頁は、電子タッチパネル２０の固定ボタン数２１のいずれかに割り当てられた改頁用のボタンを操作することにより行なわれる。
【００１６】
図３に示す例では先頭の文字がア，イ，ウ，エ，オのいずれかである名称は１ページ目に登録され、カ，キ，ク，ケ，コのいずれかから始まる名称は２ページ目に登録され、以下同様にして、‘ワ’ないし‘ン’から始まる名称は１０ページ目に登録される。
このように、レイアウトにあたり、後の作業における使いやすさを考慮し、読みの区切り毎に改頁を行なうことが好ましい。
【００１７】
図４は、先頭の文字と余白率との対応を表わす外部テーブルを示す図である。先頭の各文字ア，イ，ウ，……それぞれに対応して、それぞれ５％，１％，３％，……の余白率が定められている。この余白率はコンピュータ１０のキーボード１１等を操作することにより変更可能である。
ここでは、余白率５％，３％等の基準となる１００％としては、全登録件数、あるいは、電子タッチパネル２０の１ページあたりの表示数×ページ数、等を採用することができる。
【００１８】
マスターファイルに登録された診療行為名や薬品名の電子タッチパネル上へのレイアウト（キーファイルの作成）にあたっては、この図４に示す余白率が登録された外部テーブルが参照され、各先頭の文字ア，イ，ウ，……毎にその余白率分の余白が挿入される。
これにより、レイアウト上も見易くなり、かつ新たに登録すべき名称が発生した場合にも、柔軟に対処することができる。
【００１９】
図５は、本発明の他の実施形態の説明図である。
マスターテーブルから‘ア’から始まる名称を抽出してレイアウトを行なった後、‘イ’から始まる名称のレイアウトは行なわずに一旦中断する。オペレータが、例えばキーボード１１（図１参照）等から‘イ’から始まる名称のうちの先頭の名称の，電子タッチパネルの上の配置位置（ここに示す例では３ページ目の先頭）を指定すると、その指定された位置の直前の位置（２ページ目の最終位置）まで空白が挿入され、その指定された位置（３ページ目の先頭）から‘イ’から始まる名称のレイアウトを再開し、以下同様に繰り返す。
【００２０】
この場合、中断後、レイアウトの再開位置を指定する必要はあるが、図４を参照して説明した余白率の外部テーブルを作成する手間を省くことができる。
【００２１】
【発明の効果】
以上説明したように、本発明によれば、電子タッチパネルへのレイアウトが極めて容易となる。
【図面の簡単な説明】
【図１】本発明の電子タッチパネル表示内容レイアウト装置の一実施形態が内包された、医療事務システムの一例を示す模式図である。
【図２】電子タッチパネル上の診療行為名や薬品名のレイアウト例を示す図である。
【図３】レイアウトのページを示す図である。
【図４】先頭の文字と余白率との対応を表わす外部テーブルを示す図である。
【図５】本発明の他の実施形態の説明図である。
【符号の説明】
１０  コンピュータ
１１  キーボード
２０  電子タッチパネル
２１  固定的ボタン類
２２  液晶表示部
３０  プリンタ
【図１】
0003795149.tif 000002
【図２】
0003795149.tif 000003
【図３】
0003795149.tif 000004
【図４】
0003795149.tif 000005
【図５】
0003795149.tif 000006